(57)【要約】      （修正有）【課題】前面側のフロントパネルを前方に押出すときに、フロントパネルが傾斜されるようにし、サブパネルの上部にスリット状の光ディスク挿入口を露出させるようにした車載機器において、駆動手段に対して大きな負荷を与えたり、円滑な押出し動作が妨げられるのを防止する。【解決手段】フロントパネル１５の下側の部分を移動フレーム２１によって押出すとともに、フロントパネル１５の上端側の両側のピン４１をサブパネル１１の両側面に設けられている上下方向の案内溝４２内に沿って下方に移動させるようにし、しかも案内溝４２の上端側の部分に後方屈曲部４３を設けるようにし、フロントパネル１５の押出し動作の開始の際に、上端側のピン４１が案内溝４２の後方屈曲部４３から次第に下方に移動するようにし、フロントパネル１５の上端側の部分が回動運動をして取付け枠４８の上部の下縁と干渉するのを防止する。【選択図】図１１
2008162547.tif 000002
【特許請求の範囲】
【請求項１】
フロントパネルを有する車載機器において、
前記フロントパネルの下部が機器の本体側に対して前後方向に移動可能であって上部が機器の本体側に対して上下方向に移動可能になっており、前記フロントパネルを引出すと該フロントパネルが傾斜されるようになされ、
前記フロントパネルの上部を上下方向に移動可能に案内する案内手段の上端側が後方に屈曲していることを特徴とする車載機器。
【請求項２】
機器の本体側に移動フレームが配され、該移動フレームの前端部に前記フロントパネルの下部が回動可能に連結され、しかも前記移動フレームが駆動手段によって前後方向に移動されることを特徴とする請求項１に記載の車載機器。
【請求項３】
機器本体の前部側開口を塞ぐようにサブパネルが取付けられ、該サブパネルの開口によって前記移動フレームの前端側が前記サブパネルから延出されるようになっていることを特徴とする請求項２に記載の車載機器。
【請求項４】
前記サブパネルの側壁に案内溝が形成されるとともに、該案内溝の上端側が後方に傾斜され、前記案内溝に前記フロントパネルの上方の支点ピンが受入れられることを特徴とする請求項３に記載の車載機器。
【請求項５】
前記機器本体の前方であって前記サブパネルの外周囲に取付け枠が取付けられ、前記後方に屈曲する案内手段によって前記フロントパネルの上部が前記取付け枠の開口の上部側の下面と干渉しないことを特徴とする請求項１に記載の車載機器。
【請求項６】
フロントパネルを有する車載機器であって、自動車のインストルメントパネルに組込まれる車載機器において、
前記フロントパネルの下部が機器の本体側に対して前後方向に移動可能であって上部が機器の本体側に対して上下方向に移動可能になっており、前記フロントパネルを引出すと該フロントパネルが傾斜されるようになされ、
前記フロントパネルの上部を上下方向に移動可能に案内する案内手段の上端側が後方に屈曲していることを特徴とする車載機器。
【請求項７】
前記機器本体の前方であって該機器本体の前面側開口を塞ぐサブパネルの外周囲に前記インストルメントパネルに固定された状態で取付け枠が取付けられ、前記後方に屈曲する案内手段によって前記フロントパネルの上部が前記取付け枠の開口の上部側の下面と干渉しないことを特徴とする請求項６に記載の車載機器。
【請求項８】
前記フロントパネルが液晶表示パネルであることを特徴とする請求項６に記載の車載機器。
【請求項９】
前記車載機器が光ディスクプレーヤであることを特徴とする請求項６に記載の車載機器。
【請求項１０】
前記車載機器がカーナビゲーション装置であることを特徴とする請求項６に記載の車載機器。
【請求項１１】
前記案内手段の上端がほぼＬ字状に屈曲して後方に延びるように連続していることを特徴とする請求項１または請求項６に記載の車載機器。
【発明の詳細な説明】
【技術分野】
【０００１】
本発明は車載機器に係り、とくにフロントパネルを有する車載機器に関する。
【背景技術】
【０００２】
自動車のインストルメントパネル上であって、運転席と助手席との間の中間位置の部位に、各種のオーディオ機器やカーナビゲーション機器等が組込まれる。従って運転中に音楽を楽しんだり、あるいはまたカーナビゲーション機器の表示部によって、進むべき進路を知ることが可能になる。
【０００３】
このような車載機器は、通常その前面側の部分であってインストルメントパネル上に露出する部位がフロントパネルになっており、このフロントパネルが例えば液晶表示パネルによって構成される。従ってオーディオ機器の場合には、このインストルメントパネル上に設けられているタッチスイッチによって、各種の入力操作を行なうことができ、あるいはまた演奏中の音楽や、記録媒体に記録されているトラックのリストを表示することができるようになる。またカーナビゲーション装置の場合には、フロントパネルの表示部によって、地図上に自車の位置や、進行方向を表示することになる。
【０００４】
このように前面側の部分に表示機能を有するフロントパネルを配した構成によると、その背面側に配されている光ディスクプレーヤに対して光ディスクを挿入したり、あるいはまた排出する必要が生ずる。そこで従来より、例えば特開平９−１８０３３２号公報や特開平１１−３０６６３０号公報に開示されているように、前面側のフロントパネルを前方に引出すとともに、このときに斜め上方を向けるようにし、これによってフロントパネルの上部であってサブパネル上にスリット状の隙間を形成し、この隙間によって光ディスク等の記録媒体の挿脱を行なうようにしている。
【０００５】
このような記録媒体の挿脱を可能にする構成の一例を図１８〜図２１によって説明する。図１８に示すように、フロントパネル１５は、その下端側の部分に設けられているピン３５を、移動フレーム２１のアーム３３の先端側の連結孔３４に受入れるようにしている。そしてフロントパネル１５の上端側のアーム４０に設けられているピン４１を、サブパネル１１に設けられている縦方向の案内溝４２によって案内するようにしている。
【０００６】
駆動手段５１を駆動すると、図１８〜図２１に示すように順次その動作が変化するようになっており、駆動手段５１によって移動フレーム２１を前方側であって図面中右方に押出すと、フロントパネル１５の下端側の部分が前方に移動されるとともに、このときにフロントパネル１５は斜め上方を向くように、上端側のピン４１がサブパネル１１の案内溝４２に沿って徐々に下降する。大きく下降すると、サブパネル１１に設けられているディスク挿入口が開放されるために、これによって光ディスクの挿脱を行なうことが可能になる。
【０００７】
ところがこの種の機構は、駆動手段５１によって移動フレーム２１を前方に押出す際に、その開始の直後に、フロントパネル１５が実質的に上方のピン４１を中心とした反時計方向への回動運動を行なうために、フロントパネル１５の上部であって前端側の部分が、インストルメントパネル上に取付けられている取付け枠４８の上部側の下縁に接触し、これによって駆動手段５１による移動フレーム２１の押出し動作に対して大きな負荷を与える。あるいはまたこのような負荷によって、フロントパネル１５の図１８〜図２１に示すような押出し動作が円滑に行なわれない可能性がある。
【０００８】
このような不具合を解消するために、例えば取付け枠４８の開口をフロントパネル１５の上面よりも大きく引離した状態にすることによって、フロントパネル１５と取付け枠４８との間の干渉を防止することが可能になる。ところが取付け枠４８の開口部であってフロントパネル１５との間の隙間を形成する部位の寸法を大きくすると、フロントパネル１５が図１８に示すように完全に収納された場合に、フロントパネル１５の上端に大きな隙間を生ずることになり、これによってデザイン性が劣化する問題がある。
【特許文献１】特開平９−１８０３３２号公報
【特許文献２】特開平１１−３０６６３０号公報
【発明の開示】
【発明が解決しようとする課題】
【０００９】
本願発明の課題は、車載機器の前部側に設けられるフロントパネルを斜め上方に向くように引出したときに、このフロントパネルの上縁とインストルメントパネルに固定された取付け枠とが干渉し、これによって駆動手段に対して大きな負荷を与えることがないようにした車載機器を提供することである。
【００１０】
本願発明の別の課題は、フロントパネルとインストルメントパネルに固定された取付け枠の上縁との間のクリアランスが少なくても、駆動手段によってフロントパネルを斜め上方へ向くように押出したときに、このフロントパネルの上端と上記取付け枠の上部の下縁とが干渉しないようにした車載機器を提供することである。
【００１１】
本願発明のさらに別の課題は、駆動手段によってフロントパネルを斜め上方へ向くように押出すようにした車載機器において、フロントパネルとインストルメントパネルに固定された取付け枠との間のクリアランスを大きくすることによるデザイン性の劣化を防止するようにした車載機器を提供することである。
【００１２】
本願発明の上記の課題および別の課題は、以下に述べる本願発明の技術的思想およびその実施の形態によって明らかにされる。
【課題を解決するための手段】
【００１３】
本願の主要な発明は、フロントパネルを有する車載機器において、
前記フロントパネルの下部が機器の本体側に対して前後方向に移動可能であって上部が機器の本体側に対して上下方向に移動可能になっており、前記フロントパネルを引出すと該フロントパネルが傾斜されるようになされ、
前記フロントパネルの上部を上下方向に移動可能に案内する案内手段の上端側が後方に屈曲していることを特徴とする車載機器に関するものである。
【００１４】
ここで、機器の本体側に移動フレームが配され、該移動フレームの前端部に前記フロントパネルの下部が回動可能に連結され、しかも前記移動フレームが駆動手段によって前後方向に移動されてよい。また機器本体の前部側開口を塞ぐようにサブパネルが取付けられ、該サブパネルの開口によって前記移動フレームの前端側が前記サブパネルから延出されてよい。また前記サブパネルの側壁に案内溝が形成されるとともに、該案内溝の上端側が後方に傾斜され、前記案内溝に前記フロントパネルの上方の支点ピンが受入れられてよい。また前記機器本体の前方であって前記サブパネルの外周囲に取付け枠が取付けられ、前記後方に屈曲する案内手段によって前記フロントパネルの上部が前記取付け枠の開口の上部側の下面と干渉しないようにすることが好ましい。
【００１５】
本願の別の主要な発明は、フロントパネルを有する車載機器であって、自動車のインストルメントパネルに組込まれる車載機器において、
前記フロントパネルの下部が機器の本体側に対して前後方向に移動可能であって上部が機器の本体側に対して上下方向に移動可能になっており、前記フロントパネルを引出すと該フロントパネルが傾斜されるようになされ、
前記フロントパネルの上部を上下方向に移動可能に案内する案内手段の上端側が後方に屈曲していることを特徴とする車載機器に関するものである。
【００１６】
ここで、前記機器本体の前方であって該機器本体の前面側開口を塞ぐサブパネルの外周囲に前記インストルメントパネルに固定された状態で取付け枠が取付けられ、前記後方に屈曲する案内手段によって前記フロントパネルの上部が前記取付け枠の開口の上部側の下面と干渉しないようにすることが好ましい。また前記フロントパネルが液晶表示パネルであってよい。また前記車載機器が光ディスクプレーヤであってよい。また前記車載機器がカーナビゲーション装置であってよい。また前記案内手段の上端がほぼＬ字状に屈曲して後方に延びるように連続していてよい。
【発明の効果】
【００１７】
本願の主要な発明は、フロントパネルを有する車載機器において、フロントパネルの下部が機器の本体側に対して前後方向に移動可能であって上部が機器の本体側に対して上下方向に移動可能になっており、フロントパネルを引出すと該フロントパネルが傾斜されるようになされ、フロントパネルの上部を上下方向に移動可能に案内する案内手段の上端側が後方に屈曲しているものである。
【００１８】
従ってこのような車載機器によると、フロントパネルを傾斜されるように引出す際に、その開始動作の際に、フロントパネルの上部を案内する案内手段の上端側が後方に屈曲しているために、上端はほぼ前方に平行運動を行なうようになり、これによってフロントパネルの上端が他の部材、例えばインストルメントパネルに固定された取付け枠と干渉することが防止される。
【００１９】
本願の別の主要な発明は、フロントパネルを有する車載機器であって、自動車のインストルメントパネルに組込まれる車載機器において、フロントパネルの下部が機器の本体側に対して前後方向に移動可能であって上部が機器の本体側に対して上下方向に移動可能になっており、フロントパネルを引出すと該フロントパネルが傾斜されるようになされ、フロントパネルの上部を上下方向に移動可能に案内する案内手段の上端側が後方に屈曲するようにしたものである。
【００２０】
従ってこのような車載機器によると、フロントパネルが傾斜されるように引出される際に、その開始動作の際に、フロントパネルの上部を案内する案内手段の上端側が後方に屈曲しているために、このような屈曲部分によってフロントパネルがほとんど回動動作を行なうことなく前方に移動するようになり、これによってインストルメントパネル上に取付けられる取付け枠等の部材の開口のエッジの部分に対するフロントパネルの上面の干渉を防止できるようになる。
【発明を実施するための最良の形態】
【００２１】
以下本願発明を図示の実施の形態によって説明する。図１〜３は、本実施の形態に係る車載用ディスクプレーヤを示している。この車載用ディスクプレーヤは、板金から成るシャーシ１０を備えている。シャーシ１０は前方が開放されたほぼ箱形をなしており、この光ディスクプレーヤの筐体を兼用している。そしてシャーシ１０の前面側開口を覆うように矩形の皿状をなすサブパネル１１が取付けられる。サブパネル１１はその上部側の位置に横方向に延びるようにスリット状挿入口１２を備え、このスリット状挿入口１２を通して、光ディスクを挿入したり、あるいはまたこの挿入口から光ディスクを排出できるようにしている。またサブパネル１１には、その下側の部分に両端が高く延びているコ字状をなす開口１３が形成されている。この開口１３は、後述するフロントパネルを前方に押出すためのものである。
【００２２】
フロントパネル１５は上記サブパネル１１の前端側の部分に装着されるようになっており、しかもその主要部が表示部１６から構成されている。表示部１６は例えば液晶表示パネルであってよい。またフロントパネル１５の下側には、複数の、例えば左右に３個ずつの操作釦１７が取付けられるようになっている。
【００２３】
シャーシ１０の底部が図３に示すような底板２０から構成されており、この底板２０上にはほぼコ字状をなす移動フレーム２１が移動可能に取付けられるようになっている。すなわち移動フレーム２１は、図９に示すようにほぼコ字状をなしており、左右の部分にそれぞれ長さ方向に延びる長孔２２を備えている。これらの長孔２２はそれぞれコロ２３を受入れている。そして移動フレーム２１にはラック２６が取付けられるとともに、このラック２６が駆動ギヤ２７と噛合っている。駆動ギヤ２７は歯車列２８を介して、モータ２９の出力軸に取付けられているウオーム３０に連動されるようになっている。
【００２４】
次にフロントパネル１５について説明すると、図４〜図６に示すように、フロントパネル１５にはその下端側であって左右両側にそれぞれピン３５が植設されている。このピン３５が上記移動フレーム２１の両側のアーム３３の連結孔３４に連結されるようになっている。
【００２５】
またフロントパネル１５の上端側であってその左右の部分にはそれぞれアーム４０が取付けられており、これらのアーム４０にはそれぞれピン４１が植設されている。ピン４１は、図７および図８に示すサブパネル１１の左右の側壁の内側に設けられている案内溝４２内に受入れられるようになっており、この案内溝４２に沿ってほぼ上下方向に移動されるようになっている。しかも案内溝４２はその上端側の部分が後方屈曲部４３から構成され、下端側の部分が前方屈曲部４４から構成されている。
【００２６】
次に以上のような構成に係るフロントパネル１５の押出し動作について説明する。フロントパネル１５は、収納状態においては図１および図１０に示すように、シャーシ１０の前端側に取付けられているサブパネル１１に背面側が受入れられた状態で、ほぼ垂直な姿勢で保持される。これに対してシャーシ１０の底板２０上に設けられているモータ２９を駆動することによって、移動フレーム２１を介してフロントパネル１５を前端側に押出すと、図２および図１５に示すようにフロントパネル１５が斜め上方を向くように押出されることになり、このときにサブパネル１１の上端側の部分が露出し、これによってスリット挿入口１２が開放されることになる。従ってこのようなスリット挿入口１２を通して、このシャーシ１０内の光ディスクプレーヤに対する光ディスクの挿入および排出を行なうことが可能になる。
【００２７】
次に図１０から図１５によって、フロントパネル１５の押出し動作を説明する。図１０に示すようにフロントパネル１５がサブパネル１１に収納保持された状態で、モータ２９を回転駆動すると、このモータ２９の回転が、ウオーム３０および歯車列２８を介して駆動ギヤ２７に伝達される。従って駆動ギヤ２７がラック２６を押すことになる。従ってラック２６を備える移動フレーム２１が図１０において右方に押され、このために移動フレーム２１もコロ２３に案内されながら右方に移動されることになる。
【００２８】
フロントパネル１５の下端側の部分であってその両側のピン３５が移動フレーム２１の両側のアーム３３の連結孔３４に連結されているために、移動フレーム２１の移動によってフロントパネル１５の下端側の部分が右方に移動する。この状態は図１１〜図１５に示すように徐々に行なわれる。
【００２９】
このようなフロントパネル１５の下端側の部分の移動に同期して、フロントパネル１５の上端側のアーム４０のピン４１がサブパネル１１の側壁の案内溝４２に沿って下方へ移動することになり、このためにフロントパネル１５はその傾斜角を次第に大きくしながら前方へ引出されることになる。すなわちフロントパネル１５は斜め上方を向くような姿勢になるように傾斜角を徐々に変えながら押出される。
【００３０】
このような回動動作の、とくに初期の段階であって図１１および図１２に示す段階において、フロントパネル１５の上端側のアーム４０のピン４１が案内溝４２の後方屈曲部４３から中間の上下方向に延びる部分に移動する。従ってこのような移動動作によって、フロントパネル１５の上端側の部分は、前方であって図面中右方に押出されるような動作を行なうことになる。
【００３１】
このような後方屈曲部４３の作用によって、フロントパネル１５の押出しの初期の段階における案内溝４２の上端の部分を中心とするフロントパネル１５の反時計方向への回動運動がほとんど生じなくなる。このようなことから、フロントパネル１５の上縁がインストルメントパネルに固定されて取付けられる取付け枠４８の上部の下縁に当接し難くなる。従ってフロントパネル１５の上端と取付け枠４８との間の干渉に伴う負荷の急激な増大が回避され、これによって押出し動作が円滑に行なわれる。またフロントパネル１５が取付け枠４８と干渉しないために、モータ２９に急激な負荷が加わらず、これによって安定的な押出し動作によって、フロントパネル１５が図１０〜図１５の状態に次第にゆっくりと変化するようになり、安定な押出し動作が達成される。またフロントパネル１５が取付け枠４８の上部の下縁に干渉し難くなるために、取付け枠４８とフロントパネル１５との間のクリアランスを大きく設定する必要がなくなり、これによってデザイン性の悪化を回避できるようになる。
【００３２】
次に変形例を図１６および図１７によって説明する。この変形例は、サブパネル１１の両側の側壁部に設けられている案内溝４２の形状を変更したものであって、案内溝４２の上端側の部分であって極めて短い領域を後方屈曲部４３としている。なおそれ以外の構成は上記実施の形態と同様である。
【００３３】
このような実施の形態によると、モータ２９を駆動してフロントパネル１５を押出す動作の最初の段階において、フロントパネル１５の上端側のピン４１が後方屈曲部４３からほぼ水平に前方に移動し、この後に下方に移動する動作を行なうことになる。すなわち取付け枠４８と最も干渉しやすいフロントパネル１５の初期の動作の際に、フロントパネル１５の上端側の部分が回動運動を行なわず、図中右方への直線運動を主として行なうことになる。従ってこのことから、フロントパネル１５の上縁と取付け枠４８との干渉が回避されることになる。従ってこのような構成によっても、上記実施の形態とほぼ同様の作用効果を奏することになる。
【００３４】
以上本願発明を図示の実施の形態によって説明したが、本願発明は上記実施の形態によって限定されることなく、本願発明の技術的思想の範囲内において各種の変更が可能である。例えば上記実施の形態は、内部に光ディスクプレーヤを備える車載機器に関するものであるが、このような車載機器は、音楽、あるいは映像を再生するための車載機器であってよく、あるいはまた地図ソフトを書込んだＤＶＤを再生するカーナビゲーション機器であってよい。あるいはまたその他の車載機器であって、自動車のインストルメントパネルに組込まれる車載機器に広く適用することができる。
【産業上の利用可能性】
【００３５】
本願発明は、自動車のインストルメントパネルに組込まれる光ディスクプレーヤに応用することが可能である。
【図面の簡単な説明】
【００３６】
【図１】光ディスクプレーヤを内蔵した車載機器の外観斜視図である。
【図２】同フロントパネルを押出した状態の外観斜視図である。
【図３】同要部分解斜視図である。
【図４】車載器機のフロントパネルの正面図である。
【図５】同フロントパネルの側面図である。
【図６】フロントパネルの背面側の斜視図である。
【図７】サブパネルの正面図である。
【図８】サブパネルの断面図であって図７におけるＡ−Ａ線断面図である。
【図９】車載機器の底部側の駆動機構を示す要部斜視図である。
【図１０】フロントパネルの押出し機構を示す要部縦断面図である。
【図１１】フロントパネルの押出し動作を示す縦断面図である。
【図１２】フロントパネルの押出し動作を示す縦断面図である。
【図１３】フロントパネルの押出し動作を示す縦断面図である。
【図１４】フロントパネルの押出し動作を示す縦断面図である。
【図１５】フロントパネルの押出し動作を示す縦断面図である。
【図１６】変形例のフロントパネルの押出し機構を示す縦断面図である。
【図１７】同押出しの途中の動作を示す要部縦断面図である。
【図１８】従来の車載機器におけるフロントパネルの押出し機構を示す要部縦断面図である。
【図１９】同フロントパネルの押出し動作を示す縦断面図である。
【図２０】同フロントパネルの押出し動作を示す縦断面図である。
【図２１】同フロントパネルの押出し動作を示す縦断面図である。
【符号の説明】
【００３７】
１０…シャーシ（筐体）、１１…サブパネル、１２…スリット状挿入口、１３…開口、１５…フロントパネル、１６…表示部（液晶パネル）、１７…操作釦、２０…底板、２１…移動フレーム、２２…長孔、２３…コロ、２６…ラック、２７…駆動ギヤ、２８…歯車列、２９…モータ、３０…ウオーム、３３…アーム、３４…連結孔、３５…ピン、４０…アーム、４１…ピン、４２…案内溝、４３…後方屈曲部、４４…前方屈曲部、４８…取付け枠、４９…駆動手段
【図１】
2008162547.tif 000003
【図２】
2008162547.tif 000004
【図３】
2008162547.tif 000005
【図４】
2008162547.tif 000006
【図５】
2008162547.tif 000007
【図６】
2008162547.tif 000008
【図７】
2008162547.tif 000009
【図８】
2008162547.tif 000010
【図９】
2008162547.tif 000011
【図１０】
2008162547.tif 000012
【図１１】
2008162547.tif 000013
【図１２】
2008162547.tif 000014
【図１３】
2008162547.tif 000015
【図１４】
2008162547.tif 000016
【図１５】
2008162547.tif 000017
【図１６】
2008162547.tif 000018
【図１７】
2008162547.tif 000019
【図１８】
2008162547.tif 000020
【図１９】
2008162547.tif 000021
【図２０】
2008162547.tif 000022
【図２１】
2008162547.tif 000023